(57)【要約】      （修正有）【課題】手動操作が可能なスライドレールのブラケットに用いられる位置決め装置を提供する。【解決手段】ブラケット１８の一端に隣り合う箇所には、端板３８を有し、端板３８は挿入部材４０を備える。弾性部材２０は、ブラケット１８に位置され、対応する第一弾性部４４及び第二弾性部４６を有する。第一嵌着部材２２及び第二嵌着部材２４の第一部位４８、５８には接触部５２、６２を備え、二つの接触部５２、６２はそれぞれ、第一弾性部４４及び第二弾性部４６を押圧する。第一嵌着部材２２及び第二嵌着部材２４の第二部位５０、６０は、ブラケット１８の端板３８に隣り合う箇所に位置し、尚且つ、第一鈎部５４、第二鈎部６４、及び第一結合部５６、第二結合部６６を有する。操作部材２６は、第一嵌着部材２２、第二嵌着部材２４の第一結合部５６、第二結合部６６間に配置される。【選択図】図３
0003192322.tif 000002
【実用新案登録請求の範囲】
【請求項１】
スライドレールのブラケット位置決め装置であって、
ブラケット、弾性部材、第一嵌着部材、第二嵌着部材、及び操作部材を備え、
前記ブラケットは、第一連結体、当該第一連結体に対応する第二連結体、一端の隣り合う位置に位置する端板を有し、当該端板が少なくとも一つの挿入部材を有し、
前記弾性部材は、前記第一連結体と前記第二連結体との間の前記ブラケットに位置しており、第一弾性部及び第二弾性部を有し、
前記第一嵌着部材は、前記ブラケットの前記第一連結体に軸着されており、第一部位、及び当該第一部位に対応する第二部位を有し、当該第一部位が第一接触部を有し、当該第一接触部が前記第一弾性部を押圧し、当該第二部位が前記ブラケットの前記端板に隣り合う箇所に位置しており第一鈎部及び当該第一鈎部に隣り合う第一結合部を有し、
前記第二嵌着部材は、前記ブラケットの前記第二連結体に軸着されており、且つ、第一部位、及び当該第一部位に対応する第二部位を有し、当該第一部位が第二接触部を有し、当該第二接触部が前記第二弾性部を押圧し、当該第二部位が前記ブラケットの前記端板に隣り合う箇所に位置しており第二鈎部及び当該第二鈎部に隣り合う第二結合部を有し、
前記操作部材は、前記第一嵌着部材の前記第一結合部と前記第二嵌着部材の前記第二結合部と間に位置していることを特徴とする位置決め装置。
【請求項２】
前記弾性部材は、基板をさらに有し、
前記第一弾性部及び前記第二弾性部は、それぞれ、前記基板の対向する両側に設けられており、反った形状を有することを特徴とする請求項１に記載の位置決め装置。
【請求項３】
少なくとも一つの穴を有するラックに適用するスライドレールのブラケット位置決め装置であって、
ブラケット、弾性部材、第一嵌着部材、第二嵌着部材、及び操作部材を備え、
前記ブラケットは、第一連結体、当該第一連結体に対応する第二連結体、一端の隣り合う位置に位置する端板を有し、当該端板が少なくとも一つの挿入部材を有し、当該挿入部材が前記ラックの前記穴に取り付けられており、  
前記弾性部材は、前記第一連結体と前記第二連結体との間の前記ブラケットに配置されており、第一弾性部及び第二弾性部を有し、
前記第一嵌着部材は、前記ブラケットの前記第一連結体に軸着されており、第一部位、及び当該第一部位に対応する第二部位を有し、当該第一部位が第一接触部を有し、当該第一接触部が第一弾性部を押圧し、当該第二部位が前記ブラケットの前記端板に隣り合う箇所に位置しており第一鈎部及び当該第一鈎部に隣り合う第一結合部を有し、
前記第二嵌着部材は、前記ブラケットの前記第二連結体に軸着されており、第一部位、及び当該第一部位に対応する第二部位を有し、当該第一部位が第二接触部を有し、当該第二接触部が前記第二弾性部を押圧し、当該第二部位が前記ブラケットの前記端板に隣り合う箇所に位置しており第二鈎部及び当該第二鈎部に隣り合う第二結合部を有し、
前記操作部材は、前記第一嵌着部材の前記第一結合部と前記第二嵌着部材の前記第二結合部との間に配置されており、
前記操作部材が操作される時、前記第一嵌着部材の前記第二部位及び前記第二嵌着部材の前記第二部位が前記ラックと離れた状態となり、
当該操作部材が操作されていない時、前記第一弾性部及び前記第二弾性部は、それぞれ、前記第一接触部及び前記第二接触部に弾力を与えることで、前記第一嵌着部材の前記第二部位の前記第一鈎部及び前記第二嵌着部材の前記第二部位の前記第二鈎部が連動して前記ラックに引き掛かった状態となることを特徴とする位置決め装置。
【請求項４】
前記弾性部材は基板をさらに有し、
前記第一弾性部及び前記第二弾性部は、それぞれ、前記基板の対向する両側に設けられており、反った形状を有することを特徴とする請求項３に記載の位置決め装置。
【請求項５】
ブラケット、弾性部材、嵌着部材、及び操作部材を備え、
前記ブラケットは、連結体、及び前記ブラケットの一端に隣り合う位置に位置する端板を有し、少なくとも一つの挿入部材を有し、
前記弾性部材は、前記ブラケットに配置されており、弾性部を有し、
前記嵌着部材は、前記ブラケットの前記連結体に軸着されており、第一部位、及び当該第一部位に対応する第二部位を有し、当該第一部位が接触部を有し、当該接触部が弾性部を押圧し、当該第二部位が前記ブラケットの前記端板に隣り合う箇所に位置し、尚且つ、鈎部、及び当該鈎部に隣り合う結合部を有し、
前記操作部材は、前記嵌着部材の前記結合部に配置されることを特徴とする位置決め装置。
【請求項６】
前記弾性部材は基板をさらに有し、前記基板の一方が反った形状を有することを特徴とする請求項５に記載の位置決め装置。
【考案の詳細な説明】
【技術分野】
【０００１】
本考案は、位置決め装置に関し、詳しくはスライドレールのブラケット位置決め装置に関する。
【背景技術】
【０００２】
従来のラック装置は、一対のスライドレールキットによってラック（ｒａｃｋ）に取り付けられている。詳細に説明すると、ラックは、一対の第一ラック柱、及び一対の第二ラック柱を有する。第一ラック柱の位置は、第二ラック柱にそれぞれ対応する。ラック設備の一方にある一対の第一ラック柱にはスライドレールキットが取り付けられ、ラック設備の別の一方にある一対の第二ラック柱には別のスライドレールキットが取り付けられている。各ラックのラック柱には通常、少なくとも一つの取付け穴が設けられ、各スライドレールキットの相対する両端にはブラケット（ｂｒａｃｋｅｔ）をそれぞれ備える。ブラケットは、ラック柱の取付け穴に挿入するための挿入部材を有し、これを用いて、各スライドレールキットの相対する二つの端部をラックのラック柱にそれぞれ取り付けることで、スライドレールキットをラックに固定する。
【０００３】
特許文献１に開示されたスライドレールに用いられるブラケット位置決め構造は、実施形態及び図面（図２、図３、図５参照）に示すように、ブラケット位置決め構造は端板１１上の一対の挿入柱２によってラック７の穴７１に取り付けられる。図３に示すように、ラック７に取り付ける時、ブラケット１の端板１１上の一対の挿入柱２をラック７の穴７１に対応させて挿入し、ブラケット１のアーム部材４２の歯部４３は、その斜辺４３１がラック７のエッジに沿ってスライドすることにより、アーム部材４２を偏移させる。ブラケット１がある位置までスライドした時、図５に示すように、ブラケット１のアーム部材４２の歯部４３がラック７に係止されることで、ブラケット１はラック７に安定して固定される。しかしながら、前述のブラケット位置決め構造は、使用者がブラケット１のアーム部材４２を動かすための操作部材を備えていない故に、使用者がブラケット１をラック７に取り付ける際、或いは、ブラケット１をラック７から取り外す際の操作上の利便性に欠けている。前述の特許文献１をここに参考として提供する。
【先行技術文献】
【特許文献】
【０００４】
【特許文献１】米国特許第７、３５７、３６２号明細書
【考案の概要】
【考案が解決しようとする課題】
【０００５】
本考案は、前述の問題に鑑みてなされたものであり、手動操作が可能なスライドレールのブラケット位置決め装置を提供する。
【課題を解決するための手段】
【０００６】
本考案の一態様による位置決め装置は、ブラケット、弾性部材、第一嵌着部材、第二嵌着部材、及び操作部材を有する。ブラケットは、第一連結体、第一連結体に対応する第二連結体、及びブラケットの一端に隣り合う位置にある端板を有する。端板は、少なくとも一つの挿入部材を有する。弾性部材は、第一連結体と第二連結体間のブラケットに位置される。
弾性部材は、第一弾性部、及び第二弾性部を有する。
第一嵌着部材は、ブラケットの第一連結体に軸着され、第一嵌着部材は、第一部位、及び第一嵌着部材の第一部位に対応する第二部位を有する。第一嵌着部材の第一部位は、第一接触部を有し、第一接触部は、第一弾性部を押圧する。第一嵌着部材の第二部位は、ブラケットの端板に隣り合う箇所に位置され、尚且つ、第一鈎部、及び第一鈎部に隣り合う第一結合部を有する。
第二嵌着部材は、ブラケットの第二連結体に軸着される。第二嵌着部材は、第一部位、及び第二嵌着部材の第一部位に対応する第二部位を有する。第二嵌着部材の第一部位は、第二接触部を有し、第二接触部は、第二弾性部を押圧し、第二嵌着部材の第二部位は、ブラケットの端板に隣り合う箇所に位置され、尚且つ、第二鈎部、及び第二鈎部に隣り合う第二結合部を有する。操作部材は、第一嵌着部材の第一結合部と第二嵌着部材の第二結合部間に位置される。
【０００７】
好ましくは、弾性部材は基板をさらに有し、第一弾性部及び第二弾性部はそれぞれ、基板の対応する両側が反った形状をなす。
【０００８】
本考案の別の態様による位置決め装置は、ラックに適用されるものであり、ラックは、少なくとも一つの穴を有する。位置決め装置は、ブラケット、弾性部材、第一嵌着部材、第二嵌着部材、及び操作部材を有する。ブラケットは、第一連結体、第一連結体に対応する第二連結体、及びブラケットの一端に隣り合う位置にある端板を有する。端板は、少なくとも一つの挿入部材を有する。
少なくとも一つの挿入部材は、ラックの少なくとも一つの穴に対応させて、それに取り付ける。
弾性部材は、第一連結体と第二連結体間のブラケットに配置され、弾性部材は、第一弾性部、及び第二弾性部を有する。
第一嵌着部材は、ブラケットの第一連結体に軸着され、第一嵌着部材は、第一部位、及び第一嵌着部材の第一部位に対応する第二部位を有する。第一嵌着部材の第一部位は、第一接触部を有し、第一接触部は、第一弾性部を押圧する。第一嵌着部材の第二部位は、ブラケットの端板に隣り合う箇所に位置され、尚且つ、第一鈎部、及び第一鈎部に隣り合う第一結合部を有する。
第二嵌着部材は、ブラケットの第二連結体に軸着される。第二嵌着部材は、第一部位、及び第二嵌着部材の第一部位に相対する第二部位を有する。第二嵌着部材の第一部位は、第二接触部を有し、第二接触部は、第二弾性部を押圧し、第二嵌着部材の第二部位は、ブラケットの端板に隣り合う箇所に位置され、尚且つ、第二鈎部、及び第二鈎部に隣り合う第二結合部を有する。操作部材は、第一嵌着部材の第一結合部と第二嵌着部材の第二結合部間に配置される。操作部材が操作される時、第一嵌着部材の第二部位及び第二嵌着部材の第二部位はラックを離れた状態となる。操作部材が操作されていない時、第一弾性部及び第二弾性部はそれぞれ、第一接触部及び第二接触部に弾力を与えるため、第一嵌着部材の第二部位の第一鈎部及び第二嵌着部材の第二部位の第二鈎部は連動されてラックに引き掛かった状態となる。  
【０００９】
好ましくは、弾性部材は基板をさらに有し、第一弾性部及び第二弾性部はそれぞれ、基板の対応する両側が反った形状をなす。
【００１０】
本考案の別の態様による位置決め装置は、ブラケット、弾性部材、嵌着部材、及び操作部材を有する。ブラケットは、連結体、及びブラケットの一端に隣り合う位置にある端板を有する。端板は、少なくとも一つの挿入部材を有する。
弾性部材は、ブラケットに配置され、尚且つ弾性部を有する。嵌着部材は、ブラケットの連結体に軸着され、嵌着部材は、第一部位、及び第一部位に対応する第二部位を有する。第一部位は接触部を有し、接触部は弾性部を押圧する。第二部位は、ブラケットの端板に隣り合う箇所に位置され、尚且つ、鈎部、及び鈎部に隣り合う連接部を有する。操作部材は、嵌着部材の連接部に配置される。
【００１１】
好ましくは、弾性部材は基板をさらに有し、弾性部は、基板の一方が反った形状をなす。
【００１２】
本考案の実施形態の特徴の一つは、位置決め装置は、スライドレールキットに適用し、尚且つラックに取り付けられることにある。位置決め装置をラックに取り付ける際、使用者は、位置決め装置の操作部材を操作する。また、位置決め装置の挿入部材をラックの穴に対応させて固定する時、操作者は操作部材の操作を停止し、弾性部が嵌着部材の接触部に与える弾力により、嵌着部材の鈎部が連動されてラックに引き掛かった状態となる。
【図面の簡単な説明】
【００１３】
【図１】本考案の一実施形態による位置決め装置をスライドレールキットに配置した後、ラックに取り付けた状態を示す斜視図である。
【図２】図１の位置決め装置がスライドレールキットに隣り合う一端に配置されることを示す分解斜視図である。
【図３】本考案の一実施形態による位置決め装置の斜視図である。
【図４】本考案の一実施形態による位置決め装置の分解斜視図である。
【図５】本考案の一実施形態による位置決め装置がまだ操作されておらず、第一接触部及び第二接触部がそれぞれ第一弾性部及び第二弾性部を押圧している状態を示す図である。
【図６】本考案の一実施形態による位置決め装置の操作部材が操作され、第一嵌着部材の第二部位及び第二嵌着部材の第二部位がブラケットの端板を離れた状態を示す図である。
【図７】本考案の一実施形態による位置決め装置の操作部材が操作され、第一接触部及び第二接触部がそれぞれ第一弾性部及び第二弾性部を圧している状態を示す模式図である。
【図８】本考案の一実施形態による位置決め装置をラックに取り付ける操作を示した模式図である。
【図９】本考案の一実施形態による位置決め装置をラックに取り付ける操作を示した模式図である。
【図１０】本考案の一実施形態による位置決め装置のラックでの位置が決められ、第一嵌着部材の第一鈎部及び第二嵌着部材の第二鈎部がラックを支えた状態を示す斜視図である。
【考案を実施するための形態】
【００１４】
図１に示した本考案の一実施形態による位置決め装置１０は、スライドレールキット１２及びラック（ｒａｃｋ）１４に適用するものであり、位置決め装置１０によって、スライドレールキット１２をラック１４に取り付ける。図２に示した位置決め装置１０は、スライドレールキット１２の第一レール１６（外レール等）の端部に隣り合わせて配置される。
【００１５】
図３〜図５に示した位置決め装置１０は、ブラケット１８、弾性部材２０、第一嵌着部材２２、第二嵌着部材２４、及び操作部材２６を有する。
【００１６】
ブラケット１８は、第一壁２８、第一壁２８の相対位置にある第二壁３０、及び第一壁２８と第二壁３０間に連なる縦向本体３２を有する。縦向本体３２は、少なくとも一つの取付け部３３を有する。
【００１７】
詳細すると、ブラケット１８は、第一連結体３４、第一連結体３４に対応する第二連結体３６、及びブラケット１８の縦向本体３２の端部に位置する端板３８を有する。端板３８は、少なくとも一つの挿入部材４０を備え、挿入部材４０は円柱体、方柱体、或いはその他形状の柱体である。本考案の実施形態では挿入部材４０を円柱体としたが、これに制限されないものとする。また、第一連結体３４は第一壁２８に隣り合う箇所に位置され、第二連結体３６は第二壁３０と隣り合わせる箇所に位置される。取付け部３３は、第一連結体３４と第二連結体３６間に位置される。
【００１８】
弾性部材２０は、第一連結体３４と第二連結体３６の間において、ブラケット１８の縦向本体３２の取付け部３３に位置される。一実施形態において、弾性部材２０は基板４２、第一弾性部４４、及び第二弾性部４６を有する。基板４２は、ブラケット１８の縦向本体３２の取付け部３３に対応して配置され、第一弾性部４４と第二弾性部４６はそれぞれ、基板４２の対応する両側が反った形状をなす。これにより、第一弾性部４４とブラケット１８の縦向本体３２間に予定された夾角が形成されることで、第一弾性部４４は弾力を生じさせ、並びに、第二弾性部４６とブラケット１８の縦向本体３２間に予定された夾角が形成されることで、第二弾性部４６は弾力を生じさせる。
【００１９】
第一嵌着部材２２は、連結部材４７によってブラケット１８の第一連結体３４に軸着される。第一嵌着部材２２は、第一部位４８、及び第一部位４８に対応する第二部位５０を有する。第一部位４８は、屈曲する第一接触部５２を有し、第一接触部５２は弾性部材２０の第一弾性部４４に対応し、それを押圧する。第一嵌着部材２２の第二部位５０は、ブラケット１８の端板３８と隣り合う箇所に位置される。尚且つ、第一嵌着部材２２の第二部位５０は、第一鈎部５４、及び第一鈎部５４に隣り合う第一結合部５６を有する。第一嵌着部材２２の第一鈎部５４は、鈎面５７をさらに有し、第一鈎部５４は、水平方向（横向き）に延長され、第一結合部５６は、垂直方向に延長される。
【００２０】
第二嵌着部材２４は、連結部材４７によってブラケット１８の第二連結体３６に軸着される。第二嵌着部材２４は、第一部位５８、及び第一部位５８の相対位置にある第二部位６０を有する。第一部位５８は、屈曲する第二接触部６２を有し、第二接触部６２は、弾性部材２０の第二弾性部４６に対応し、それを押圧する。第二嵌着部材２４の第二部位６０は、ブラケット１８の端板３８と隣り合う箇所に位置され、尚且つ、第二嵌着部材２４の第二部位６０は、第二鈎部６４、及び第二鈎部６４に隣り合う第二結合部６６を有する。第二嵌着部材２４の第二鈎部６４は、鈎面６７をさらに有し、第二鈎部６４は、水平方向（横向き）に延長され、第二結合部６６は、垂直方向に延長される。
【００２１】
操作部材２６は、組立てまたは一体成形の方式により第一嵌着部材２２の第一結合部５６と第二嵌着部材２４の第二結合部６６間に位置される。詳細すると、操作部材２６は、細長い棒体であり、ほぼ弧形を形成する操作面６８を有する。これにより、使用者は指を使って操作部材２６を動かすのに役立てられ、第一嵌着部材２２と第二嵌着部材２４を第一位置（図３参照）から第二位置に軸回転する操作が行える（図６参照）。
【００２２】
図６及び図７には、位置決め装置１０の操作部材２６が操作された状態が示されており、これに連動される第一嵌着部材２２と第二嵌着部材２４は、ある位置まで軸回転している。
【００２３】
詳細すると、使用者によって操作部材２６の操作面６８に力Ｆが加えられた時、第一嵌着部材２２と第二嵌着部材２４がそれぞれ、第一連結体３４及び第二連結体３６に軸着されているため、第一嵌着部材２２と第二嵌着部材２４は、第一位置（図３及び図５参照）から第二位置まで軸回転し（図６及び図７参照）、第一嵌着部材２２の第二部位５０と第二嵌着部材２４の第二部位６０は、ブラケット１８の端板３８から離れる状態となる。この時、弾性部材２０の第一弾性部４４及び第二弾性部４６は、第一嵌着部材２２の第一接触部５２及び第二嵌着部材２４の第二接触部６２によってそれぞれ押圧され、弾力を蓄える。
【００２４】
操作部材２６が未操作である時（力Ｆが加えられていない時）、弾性部材２０の第一弾性部４４及び第二弾性部４６のそれぞれは、第一嵌着部材２２の第一接触部５２及び第二嵌着部材２４の第二接触部６２に対する弾力性を有する。これにより、連動される第一嵌着部材２２の第二部位５０及び第二嵌着部材２４の第二部位６０は再びブラケット１８の端板３８に隣り合う箇所に位置される。即ち、第一嵌着部材２２及び第二嵌着部材２４は、軸回転して第二位置（図６及び図７参照）から第一位置（図３及び図５参照）に戻る。この時、弾性部材２０の第一弾性部４４及び第二弾性部４６は再び反った状態となる。
【００２５】
図８及び図９は、位置決め装置１０をラック１４に取り付ける操作を示す図である。
【００２６】
詳細すると、位置決め装置１０は、ラック１４に適用されるものであり、ラック１４は、少なくとも一つの穴１５を有する。穴１５は丸い穴、方形の穴、その他形状の穴のいずれでもよく、本実施形態では、丸い穴を例としたが、これに制限されるものではない。
【００２７】
使用者が位置決め装置１０を方向Ｄに向かってラック１４に取り付ける時、先ず操作部材２６（この部分は図６参照）を動かし、第一嵌着部材２２の第二部位５０及び第二嵌着部材２４の第二部位６０がブラケット１８の端板３８を離れるようにする。この状態で、ブラケット１８の端板３８の挿入部材４０を、対応するラック１４の穴１５に取り付ける。挿入部材４０を対応するラック１４の穴１５に固定する時、第一嵌着部材２２の第二部位５０及び第二嵌着部材２４の第二部位６０は前述した第二位置に位置され、ラック１４を離れた状態となる。
【００２８】
図１０には、ブラケット１８の挿入部材４０を対応するラック１４の穴１５に取り付けた状態を示す。この状態において、使用者は、操作部材２６（即ち、操作部材２６が未操作である場合）の操作を停止することができ、第一弾性部４４及び第二弾性部４６それぞれが第一接触部５２及び第二接触部６２に弾力を与えるため（この部分は図３参照）、連動される第一嵌着部材２２の第二部位５０の第一鈎部５４及び第二嵌着部材２４の第二部位６０の第二鈎部６４によって、第一鈎部５４の鈎面５７及び第二鈎部６４の鈎面６７がラック１４に引き掛かり、それを押圧することで、ブラケット１８はラック１４に安定して取り付けられる。
【００２９】
本考案は前述の実施形態によって開示された通りであるが、それらは本考案に制限を加えるものではない。よって、本考案によって保護される範囲は、実用新案登録請求の範囲を基準とする。
【符号の説明】
【００３０】
１０  位置決め装置、
１２  スライドレールキット、
１４  ラック、
１６  第一レール、
１８  ブラケット、
２０  弾性部材、
２２  第一嵌着部材、
２４  第二嵌着部材、
２６  操作部材、
２８  第一壁、
３０  第二壁、
３２  縦向本体、
３３  取付部、
３４  第一連結体、
３６  第二連結体、
３８  端板、
４０  挿入部材、
４２  基板、
４４  第一弾性部、
４６  第二弾性部、
４７  連結部材、
４８、５８  第一部位、
５０、６０  第二部位、
５２  第一接触部、
５４  第一鈎部、
５６  第一結合部、
５７、６７  鈎面、
６２  第二接触部、
６４  第二鈎部、
６６  第二結合部、
６８  操作面。
【図１】
0003192322.tif 000003
【図２】
0003192322.tif 000004
【図３】
0003192322.tif 000005
【図４】
0003192322.tif 000006
【図５】
0003192322.tif 000007
【図６】
0003192322.tif 000008
【図７】
0003192322.tif 000009
【図８】
0003192322.tif 000010
【図９】
0003192322.tif 000011
【図１０】
0003192322.tif 000012